(57)【特許請求の範囲】
【請求項１】
第１のリードブロックが取り付けられた固定側ハウジングと、
第２のリードブロックが取り付けられ、前記固定側ハウジングに対して回動可能に装着された可動側ハウジングと、
前記固定側ハウジングと前記可動側ハウジングとの間に形成された収納部内に収納され、Ｎ本の導体部を有し、該Ｎ本の導体部のそれぞれが前記第１、及び第２のリードブロックのそれぞれに接続された可撓性ケーブルとを備え、
前記第１、及び第２のリードブロックの少なくとも一方は、第１基体部材と、第２基体部材とから成り、
前記第１基体部材は、第１基部と、該第１基部に一体化されたＮ本の端子とを有し、該Ｎ本の端子は、前記第１基部から外方に突出するＮ本の第１端子部と、前記第１基部から露出したＮ本の第２端子部とを有し、
前記第２基体部材は、第２基部と、該第２基部に一体化されたＮ本以下の端子とを有し、該Ｎ本以下の端子は、前記第２基部から外方に突出するＮ本以下の第１、第２外部端子部を有し、
前記第１基体部材の前記Ｎ本の第２端子部には、前記可撓性ケーブルの前記Ｎ本の導体部のそれぞれの端部が接続されると共に、
前記第１基体部材の前記Ｎ本の第１端子部の何れかに前記第２基体部材の前記Ｎ本以下の第２外部端子部のそれぞれが接続され、前記第１外部端子部が外部雌型コネクタ端子と接続可能であることを特徴とする回転コネクタ。
【請求項２】
前記第１基体部材の前記Ｎ本の第１端子部が、前記可撓性ケーブルの導体部の導出方向に対して直交する方向であって、同一直線上に配設されると共に、第２基体部材の第２外部端子部の先端を同一直線上に配設したことを特徴とする請求項１記載の回転コネクタ。
【請求項３】
前記第１基体部材の前記第１端子部が等間隔に配設されていることを特徴とする請求項１、又は２記載の回転コネクタ。
【請求項４】
前記第１基体部材の前記第１基部に孔部を設け、前記第２端子部を前記孔部から露出させたことを特徴とする請求項１、乃至３記載の回転コネクタ。
【請求項５】
前記第２基体部材の前記第１外部端子部が、端子形状の異なる少なくともふたつの第１端子群、及び第２端子群から構成されていることを特徴とする請求項１、乃至４記載の回転コネクタ。
【請求項６】
前記第２基体部材の前記第１外部端子部が、リード線によって形成されていることを特徴とする請求項１、乃至５記載の回転コネクタ。
【発明の詳細な説明】
【０００１】
【発明の属する技術分野】
本発明は、自動車等のステアリング装置に取り付けられ、ステアリングヒータ装置、及び車体に備えられたエアーバックシステム等の電気装置間の電気的接続手段として使用される回転コネクタに関する。
【０００２】
【従来の技術】
以下、従来の回転コネクタの図面を説明すると、図１０は、従来の回転コネクタを示す平面図、図１１は、図１０における１１−１１線での要部断面図、図１２は、従来の回転コネクタに係わり、リードブロックと可撓性ケーブルとの接続状態を示す斜視図、図１３は、従来の回転コネクタに係わり、リードブロックと可撓性ケーブルとの接続状態を示す分解斜視図である。
【０００３】
この回転コネクタ６０は、自動車等のステアリング装置（図示せず）に組み込まれて、ステアリングホイールに装着されたステアリングヒータ回路、エアバック回路、ホーン回路やその他のスイッチ回路の電気的接続手段として用いられるものであって、同心状に配置され、且つ相対的に回動自在に連結された一対の固定側ハウジング６１、及び可動側ハウジング６２と、これら一対の固定側、可動側ハウジング６１、６２の間に形成される環状のケーブル収納部（図示せず）としての空間内に巻き締め、及び巻き戻し可能に収納された可撓性ケーブル７１（図１２参照）と、可撓性ケーブル７１の両端部に接続されたそれぞれ各１個の第１、第２のリードブロック６３、６４とから基本的に構成されている。
【０００４】
可撓性ケーブル７１は、図１２、図１３に示すように、帯状のベースフィルムと成る２枚の絶縁フィルム７１ａと、２枚の絶縁フィルム７１ａの間に貼着された帯状の極薄い寸法の銅箔等から成る複数本（例えば、１０本）の導体部７１ｂとを有し、各導体部７１ｂが互いに平行状態に貼着されている。
【０００５】
このように基本的に構成された回転コネクタ６０は、固定側ハウジング６１を車体（図示せず）に、また、可動側ハウジング６２をハンドル部材（図示せず）に固定すると共に、可撓性ケーブル７１の両端を固定側、及び可動側の各第１、第２のリードブロック６３、６４を介して車体やハンドル側のそれぞれの電気装置に接続することにより、ステアリングヒータ回路装置、車載用エアーバックシステムやホーン回路等の電気的接続手段として使用される。
【０００６】
合成樹脂材料から成る固定側ハウジング６１は、図１０に示すように、円筒状の外筒部６５と、外筒部６５の端部に設けられた底壁６６と、底壁６６の外周端の近傍から外方に突出するひとつの第１収容体６７とを備えている。
一方、合成樹脂材料から成る可動側ハウジング６２は、円筒状の内筒部６８と、内筒部６８の端部に設けられた上壁６９と、上壁６９の外周端の近傍から外方に突出するひとつの第２収容体７０とを備えている。
【０００７】
第２のリードブロック６４は、図１２、図１３に示すように、合成樹脂材料から成るひとつの基部６４ａと、基部６４ａにインサート成形加工によって形成され、金属材料から成る複数本（例えば、１０本）の端子６４ｂと、端子６４ｂの一部が貫通し、この一部の端子６４ｂが露出する孔部６４ｃとを備えている。
【０００８】
また、この端子６４ｂは、基部６４ａから外方に突出する第１端子部６４ｄと、第１端子部６４ｄのそれぞれと一体であり、孔部（図示せず）を貫通し、露出する第２端子部６４ｅとを備えている。この第１端子部６４ｄは、基部６４ａの付け根部から外方に真っ直ぐに延設されると共に、一列に同一直線上に配設され、第２端子部６４ｅは、第１端子部６４ｄに対して直交する方向に延設されている。
【０００９】
また、基部６４ａは、孔部６４ｃが形成された直方体の第１基部６４ｆと、第１基部６４ｆの一方の端面から直交する方向に延設された第２基部６４ｇと、第２基部６４ｇの一方の端面から第１基部６４ｆに平行な上方向に延設された第３基部６４ｈとを有している。即ち、基部６４ａは、第１基部６４ｆと、第２基部６４ｇと、第３基部６４ｈとによって、全体が鍵の手状に一体に形成されている。
【００１０】
この状態のとき、第１端子部６４ｄは、第３基部６４ｈの上面壁から外方に突出されている。
また、この第１基部６４ｆに形成された孔部６４ｃを貫通する各第２端子部６４ｅに可撓性ケーブル７１のそれぞれの導体部７１ｂが、例えば、超音波接続など適宜手段によって接続されている。
【００１１】
この第２のリードブロック６４は、可動側ハウジング６２の第２収容体７０内に保持されると共に、それぞれの端子６４ｂには、ひとつ（１本）の可撓性ケーブル７１の一方の端部が電気的・機械的に接続されている。
【００１２】
第１のリードブロック６３は、合成樹脂材料から成るひとつの基部６３ａと、基部６３ａにインサート成形加工によって形成され、金属材料から成る複数本（例えば、１０本）の端子６３ｂと、端子６３ｂの一部が貫通し、この一部の端子６３ｂが露出する孔部（図示せず）とを備えている。
【００１３】
また、この端子６３ｂは、基部６３ａから外方に突出する第１端子部６３ｃと、第１端子部６３ｃにそれぞれと一体であり、孔部（図示せず）を貫通し、露出する第２端子部（図示せず）とを備えている。
この第１端子部６３ｃは、基部６３ａの付け根部から真っ直ぐに延設されると共に、一列に同一直線上に配設され、第２端子部（図示せず）は、第１端子部６３ｃに対して直交する方向に延設されている。
【００１４】
即ち、この第１のリードブロック６３は、前述の第２のリードブロック６４の構成と、ほぼ同一の構成であるように形成されている。
この第１のリードブロック６３は、固定側ハウジング６１の第１収容体６７内に保持されると共に、それぞれの端子６３ｂには、端子６３ｂに接続されたひとつ（１本）の可撓性ケーブル７１の他方の端部が電気的・機械的に接続されている。
【００１５】
そして前記第１、第２のリードブロック６３、６４の各端子６３ｂ、６４ｂには、例えば、ステアリングヒータ回路用の第１の外部雌型コネクタ（図示せず）と、エアバック回路、及びホーン回路用の第２の外部雌型コネクタ（図示せず）とのふたつのコネクタがそれぞれ第１、第２収容体６７、７０に挿入され、電気的接続が成されている。
【００１６】
次に、ここで、前述の従来の回転コネクタ６０に係わる第２のリードブロック６４の可動側ハウジング６２への取り付け構成について、図１１を用いて説明する。
このとき、第２のリードブロック６４は、ひとつの基部６４ａから成り、且つ、基部６４ａには可撓性ケーブル７１（図１２参照）が接続されている。
【００１７】
この状態で、先ず、可動側ハウジング６２の円筒状の内筒部６８の所定の個所に配設された凹部６８ａ内に第２のリードブロック６４の基部６４ａの第１基部６４ｆが、挿入・配設される。
次に、第２収容体７０が設けられた上壁６９を、第２収容体７０内に第３基部６４ｈが取り付けられるように配設し、その後、内筒部６８と上壁６９とを適宜手段にて固着する。
【００１８】
【発明が解決しようとする課題】
そして、従来の回転コネクタ６０は、取り付けられる自動車の車種や、同一車種のグレードなどによって、前記第１、第２のリードブロック６３、６４の各端子６３ｂ（第１端子部６３ｃ）、６４ｂ（第１端子部６４ｄ）に接続可能な外部雌型コネクタの各コネクタ形状、及び各端子の本数が異なっている。このことから、外部雌型コネクタの各コネクタ形状、及び各端子の本数に対応するように前記第１、第２のリードブロック６３、６４の前記第１端子部６３ｃ、６４ｄの形状や本数をそれぞれ異ならしめる必要がある。
また、可撓性ケーブル７１の各導体部７１ｂの本数も用途に応じて、導体部７１ｂの本数が異なる可撓性ケーブル７１が用いられていた。
【００１９】
しかしながら、最近では、可撓性ケーブル７１の各導体部７１ｂの本数が、自動車の車種や、同一車種のグレードなどに係わらず、各電気装置間の電気的接続手段に用いられる最大の数（例えば、１０本）が配置され、この可撓性ケーブル７１を共通に用い、リードブロック６３、６４のみを異ならしめるものが出て来た。
【００２０】
すなわち、このそれぞれ異ならしめられたリードブロック６３、６４の第２端子部６４ｅの数は、可撓性ケーブル７１の各導体部７１ｂの本数と同様に最大の数であるように配設され、各導体部７１ｂが、各第２端子部６４ｅにそれぞれ接続され、第１端子部６４ｄのみの形状や本数が、前記外部雌型コネクタの形状や本数にそれぞれ対応するように形成されている。前記従来例では、第１端子部６４ｄの本数と、第２端子部６４ｅの本数とが同一な本数であるもので説明したが、この第１端子部６４ｄの本数が、第２端子部６４ｅの本数以下にそれぞれ形成されているものがある。このため、結果的に、リードブロック６３、６４の種類が多くなる。
【００２１】
換言すれば、従来の回転コネクタ６０に係わるリードブロック６３、６４では、各第１端子部６４ｄに接続可能な外部雌型コネクタ毎に、リードブロック６３、６４の全体形状が、それぞれ対応出来るものに形成する必要が生じる。このことから、リードブロック６３、６４の種類が多くなり、且つ、このリードブロック６３、６４が、鍵手状のひとつの基部６４ａと、インサート成形加工され、本数の異なった各第１端子部６４ｄ、及び第２端子部６４ｅとからなる各端子６４ｂの構成が、複雑であって、それぞれこの複雑な構成を形成するリードブロック６３、６４の金型が必要に成ることから回転コネクタ６０がコスト高になるという問題がある。
【００２２】
本発明の回転コネクタは、上述の問題を解決し、ひとつのリードブロックをふたつの第１、第２基体部材にて形成し、可撓性ケーブルと第１基体部材とを共通化し、第２基体部材を簡単な構成で個別化することによって、安価なリードブロックを備えた安価な回転コネクタを提供することを目的とする。
【００２３】
【課題を解決するための手段】
本発明の回転コネクタは、第１のリードブロックが取り付けられた固定側ハウジングと、第２のリードブロックが取り付けられ、固定側ハウジングに対して回動可能に装着された可動側ハウジングと、固定側ハウジングと前記可動側ハウジングとの間に形成された収納部内に収納され、Ｎ本の導体部を有し、該Ｎ本の導体部のそれぞれが第１、及び第２のリードブロックのそれぞれに接続された可撓性ケーブルとを備え、
第１、及び第２のリードブロックの少なくとも一方は、第１基体部材と、第２基体部材とから成り、第１基体部材は、第１基部と、該第１基部に一体化されたＮ本の端子とを有し、Ｎ本の端子は、第１基部から外方に突出するＮ本の第１端子部と、第１基部から露出したＮ本の第２端子部とを有し、第２基体部材は、第２基部と、該第２基部に一体化されたＮ本以下の端子とを有し、Ｎ本以下の端子は、第２基部から外方に突出するＮ本以下の第１、第２外部端子部を有し、第１基体部材のＮ本の第２端子部には、可撓性ケーブルのＮ本の導体部のそれぞれの端部が接続されると共に、第１基体部材のＮ本の第１端子部の何れかに第２基体部材のＮ本以下の第２外部端子部のそれぞれが接続され、第１外部端子部が外部雌型コネクタ端子と接続可能であることである。
かかる構成によって、Ｎ本の導体部を有する可撓性ケーブルとリードブロックのＮ本の第２端子部とを有する第１基体部材とを汎用性を有し、共通化することが出来ることから、可撓性ケーブルと第１基体部材との種類を削減でき、更に、Ｎ本以下の第１、第２外部端子部を有する第２基体部材の構成のみの変更によって、第２基体部材の各端子に接続可能な外部雌型コネクタに対応できることから、可撓性ケーブルと第１基体部材とが汎用性を有し、且つ、第２基体部材は、第２基部と、第２基部から外方に突出する第１、第２外部端子部とからのみで構成されているので、第２基体部材は、単純な構成で、安価であり、このことから、汎用性を有する可撓性ケーブルと、安価なリードブロックとを備えた回転コネクタを提供できる。
【００２４】
また、本発明の回転コネクタは、第１基体部材のＮ本の第１端子部が、可撓性ケーブルの導体部の導出方向に対して直交する方向であって、同一直線上に配設されると共に、第２基体部材の第２外部端子部の先端を同一直線上に配設したことである。
かかる構成によって、第１基体部材の第１端子部と第２基体部材の第２外部端子部との接続が容易で、安価なリードブロックを備えた回転コネクタを提供できる。
【００２５】
また、本発明の回転コネクタは、第１基体部材の第１端子部が等間隔に配設されていることである。
かかる構成によって、第１端子部が等間隔に配設されていることによって、第１基体部材が容易に形成出来、安価なリードブロックを備えた回転コネクタを提供できる。
【００２６】
また、本発明の回転コネクタでは、第１基体部材の第１基部に孔部を設け、第２端子部を孔部から露出させたことである。
かかる構成によって、第２端子部が孔部から露出された状態に保持されていることから、第２端子部が第１基部に確実に保持されているので、可撓性ケーブルの導体部が第２端子部に安定して接続されるリードブロックを備えた回転コネクタを提供できる。
【００２７】
また、本発明の回転コネクタは、第２基体部材の第１外部端子部が、端子形状の異なる少なくともふたつの第１端子群、及び第２端子群から構成されていることである。
かかる構成によって、それぞれの第１、第２端子群への各外部雌型コネクタによる接続が確実に行えるリードブロックを備えた回転コネクタを提供できる。
【００２８】
また、本発明の回転コネクタは、第２基体部材の第１外部端子部が、リード線によって形成されていることである。
かかる構成によって、リード線によって形成されたことから柔軟性を有し、引き回しが容易な第１外部端子部を有し、取り付け自由度の高いリードブロックを備えた回転コネクタを提供できる。
【００２９】
【発明の実施の形態】
以下、本発明の回転コネクタの図面を説明すると、図１は、本発明の回転コネクタを示す平面図、図２は、本発明の回転コネクタに係わり、固定側ハウジングと移動体とを示す平面図、図３は、図１における３−３線での要部断面図、図４は、本発明の回転コネクタに係わり、リードブロックと可撓性ケーブルとの接続状態の第１の実施の形態を示す斜視図、図５は、本発明の回転コネクタに係わり、リードブロックと可撓性ケーブルとの接続状態の第１の実施の形態を示す分解斜視図、図６は、本発明の回転コネクタに係わり、リードブロックと可撓性ケーブルとの接続状態の第２の実施の形態を示す斜視図、図７は、本発明の回転コネクタに係わり、リードブロックと可撓性ケーブルとの接続状態の第２の実施の形態を示す分解斜視図、図８は、本発明の回転コネクタに係わり、リードブロックと可撓性ケーブルとの接続状態の第３の実施の形態を示す斜視図、図９は、本発明の回転コネクタに係わり、リードブロックと可撓性ケーブルとの接続状態の第３の実施の形態を示す分解斜視図である。
【００３０】
本発明の回転コネクタ５０は、図１、図２に示すように、固定側ハウジング１と、固定側ハウジング１に対して回動可能に装着された可動側ハウジング２と、固定側ハウジング１と可動側ハウジング２との間に形成された収納部１０内に収納された可撓性ケーブル３と、固定側・可動側ハウジング１、２間に回動自在に配置された移動体４と、該可撓性ケーブル３のそれぞれの端部が接続された第１、及び第２のリードブロック１６、１７とで概略構成されている。このとき、第１のリードブロック１６は、固定側ハウジング１に取り付けられ、第２のリードブロック１７は、可動側ハウジング２に取り付けられている。
【００３１】
合成樹脂材料から成る固定側ハウジング１は、円筒状の外筒部７と、外筒部７の端部に設けられた底壁８と、底壁８の外周端の近傍から外方に突出する筒状の第１収容体９とを備えている。
【００３２】
一方、合成樹脂材料から成る可動側ハウジング２は、円筒状の内筒部１１と、内筒部１１の端部に設けられた上壁１２と、上壁１２の外周端の近傍から外方に突出する筒状のひとつの第２収容体１３とを備えている。この第２収容体１３には、コネクタ（図示せず）の挿入をガイドするガイド部１３ａが筒状の内周面によって形成されている。
【００３３】
前記外筒部７と前記内筒部１１とは、同軸的に配置され、両外・内筒部７、１１間に環状の収納部１０が設けられ、この収納部１０内には、移動体４が配置されている。
【００３４】
合成樹脂材料から成る移動体４は、収納部１０内において、その周方向に移動可能に配置されており、円環状の保持部４ａと、保持部４ａ上に回転可能に取り付けられた複数個の回転部材４ｂと、所定の回転部材４ｂに近接して配置され、前記可撓性ケーブル３を座屈しないように反転させて案内する案内部材４ｃとを有している。
【００３５】
可撓性ケーブル３は、図４、及び図５に示すように帯状のベースフィルムと成る２枚の絶縁フィルム３ａと、２枚の絶縁フィルム３ａの間に貼着され、帯状の極薄い寸法の銅箔等から成る複数本（例えば、１０本）の導体部３ｂとを有し、各導体部３ｂが互いに平行状態で、且つ、等間隔に貼着され、各導体部３ｂの両端部が絶縁フィルム３ａから露出した状態に形成されている。
【００３６】
第２のリードブロック１７は、図４、及び図５に示すように第１基体部材１８と、第１基体部材１８の近傍に配設された第２基体部材１９とのふたつの部材から構成されている。
また、第１基体部材１８は、合成樹脂材料から成り、成形加工によって形成された直方体の第１基部１８ａと、第１基部１８ａの対向する側壁面を貫通する孔部１８ｂと、第１基部１８ａにインサート成形加工によって一体に形成された金属材料から成るＮ本（例えば、１０本）の第１の端子１８ｃとを有している。
【００３７】
また、Ｎ本の第１の端子１８ｃは、第１基部１８ａの上壁面から外方に同一直線上で、等間隔に突出・配設されたＮ本の第１端子部１８ｄと、第１端子部１８ｄの導出方向に対して直交する方向であって、孔部１８ｂを貫通した状態で第１基部１８ａから露出し、同一直線上で、等間隔に配設されたＮ本の第２端子部１８ｅとを有している。この第２端子部１８ｅの各間隔は、前記可撓性ケーブル３の各導体部３ｂの各間隔と等しい間隔に形成されている。
【００３８】
また、第２基体部材１９は、合成樹脂材料から成り、成形加工によって形成された直方体の第２基部１９ａと、第２基部１９ａにインサート成形加工によって一体に形成された金属材料から成るＮ本以下（例えば、１０本）の第２の端子１９ｂとを有している。
【００３９】
また、Ｎ本以下の第２の端子１９ｂは、第２基部１９ａの上壁面から外方に同一直線上に突出・配設されたＮ本以下の第１外部端子部１９ｃと、第２基部１９ａの下壁面から外方に同一直線上で、等間隔に突出・配設されたＮ本以下の第２外部端子部１９ｄとを有している。そして、この第２外部端子部１９ｄの各間隔は、前記第１端子部１８ｄの各間隔と等しい間隔に形成されている。
【００４０】
また、第１外部端子部１９ｃは、端子形状の異なるふたつの第１端子群１９ｅと、第２端子群１９ｆとから構成されている。このとき、第１端子群１９ｅは、角柱状に形成され、第２端子群１９ｆは、鏃柱状に形成され、また、第１端子群１９ｅと第２端子群１９ｆとは、それぞれ等間隔の寸法に配設されると共に、第１端子群１９ｅと第２端子群１９ｆとの間の寸法は、等間隔の寸法とは異なり、やや広い間隔の寸法であるように配置されている。
【００４１】
そして、この第２外部端子部１９ｄは、鍵の手状に屈曲されて形成され、先端は、同一直線上に配置されている。
また、第１基部１８ａのＮ本（例えば、１０本）の第１端子部１８ｄと、第２基部１９ａのＮ本以下の第２外部端子部１９ｄとは、例えば、スポット溶着などの適宜手段にて固着・接続されている。
【００４２】
この第１端子部１８ｄと、第２外部端子部１９ｄとの固着・接続によって、第１基部１８ａと第２基部１９ａとが第１端子部１８ｄと第２外部端子部１９ｄとを介して一体化され、ひとつの第２のリードブロック１７が形成される。
【００４３】
また、第１基体部材１８のＮ本の第２端子部１８ｅには、可撓性ケーブル３のＮ本の導体部３ｂの一方の端部が、例えば、超音波溶接など適宜手段によって、電気的・機械的な接続が成されている。
この状態のとき、第１端子部１８ｄは、可撓性ケーブル３の導体部３ｂの導出方向に対して直交する方向に配設されている。
【００４４】
そして、この接続によって、可撓性ケーブル３の各導体部３ｂに伝送される電気信号が第２のリードブロック１７の第１端子群１９ｅと第２端子群１９ｆとから構成された第１外部端子部１９ｃから、第１外部端子部１９ｃに接続可能な外部雌コネクタ（図示せず）に導出される。
【００４５】
そして、この第２のリードブロック１７は、可動側ハウジング２の第２収容体１３内に配設されている。この状態のとき、第２のリードブロック１７の第１端子群１９ｅと第２端子群１９ｆとは、第２収容体１３内に収納されている。
【００４６】
そして、第１、及び第２の端子群１９ｅ、１９ｆには、それぞれ異なる各外部雌コネクタ（図示せず）が接続されるように構成されている。
【００４７】
第１のリードブロック１６は、図１、及び図２に示すように、合成樹脂材料から成るひとつの基部１６ａと、基部１６ａにインサート成形加工によって形成され、金属材料から成る複数本（例えば、１０本）の端子１６ｂと、端子１６ｂの一部が貫通し、この一部の端子１６ｂが露出する孔部（図示せず）とを備えている。そして、この第１のリードブロック１６は、固定側ハウジング１の第１収容体９内に配設されている。
【００４８】
次に、ここで、前述の本発明の回転コネクタ５０に係わる第２のリードブロック１７の可動側ハウジング２への取り付け構成について、図３を用いて説明する。
このとき、予め、第２のリードブロック１７の第１基体部材１８と第２基体部材１９とは一体化され、且つ、第１基体部材１８には可撓性ケーブル３が接続されている。
【００４９】
この状態で、先ず、可動側ハウジング２の第２収容体１３に第２のリードブロック１７の第２基体部材１９を挿入し、第２の端子１９ｂを第２収容体１３から外方に向かって突出させ、且つ、第２収容体１３内に設けた爪部１３ｂと第２基体部材１９の図示しない係止部とをスナップ結合させて、可動側ハウジング２に第２のリードブロック１７を固定する。
次に、固定側ハウジング１に移動体４、可動側ハウジング２を回転可能に取り付ける。
【００５０】
次に、本発明の回転コネクタに係わるリードブロックと可撓性ケーブルとの接続状態の第２の実施の形態について説明する。
ここで、前述の第１の実施の形態と同一構成には、同一符号を付与して詳細な説明は省略する。
図６、及び図７に示すように、可撓性ケーブル３と、第２のリードブロック２０の第１基体部材１８とが、第１の実施の形態と同一構成であり、また、可撓性ケーブル３と第１基体部材１８との配設（接続）についても同一構成となっている。
【００５１】
第２のリードブロック２０の第２の基体部材２１は、合成樹脂材料から成り、成形加工によって形成された直方体の第２基部２１ａと、第２基部２１ａにインサート成形加工によって一体に形成された金属材料から成るＮ本以下（例えば、６本）の第２の端子２１ｂとを有している。
【００５２】
また、第２の端子２１ｂは、第２基部２１ａの上壁面から外方に同一直線上に突出・配設された第１外部端子部２１ｃと、第２基部２１ａの下壁面から外方に同一直線上で、突出・配設された第２外部端子部２１ｄとを有している。そして、この第２外部端子部２１ｄの各間隔は、前記第１基体部材１８の前記第１端子部１８ｄの位置に応じて形成されている。
【００５３】
但し、この第２外部端子部２１ｄの各間隔は、図６に示すように、図７の右側に、等間隔（所定の間隔）で４本配設され、図６の左側に  等間隔（所定の間隔）で２本配設されている。
そして、この第２外部端子部２１ｄは、鍵の手状に屈曲されて形成され、先端は、同一直線上に配置されている。
【００５４】
また、第１外部端子部２１ｃは、端子形状の異なる例えば、４本の第１端子群２１ｅと、例えば、２本の第２端子群２１ｆとから構成されている。このとき、第１端子群２１ｅは、角柱状に形成され、第２端子群２１ｆは、鏃柱状に形成され、また、第１端子群２１ｅと第２端子群２１ｆとは、それぞれ等間隔の寸法に配設されると共に、第１端子群２１ｅと第２端子群２１ｆとの間の寸法は、等間隔の寸法とは異なり、やや広い間隔の寸法であるように配置されている。
【００５５】
また、第１基部１８ａのＮ本（例えば、１０本）の第１端子部１８ｄの内の一部（例えば、６本）の第１端子部１８ｄと、第２基部２１ａのＮ本以下（例えば、６本）の第２外部端子部２１ｄとは、例えば、スポット溶着などの適宜手段にて固着・接続されている。
【００５６】
即ち、残り（例えば、４本）の第１端子部１８ｄは、第２外部端子部２１ｄと接続されることなく配置されている。
【００５７】
この第１端子部１８ｄと、第２外部端子部２１ｄとの固着・接続によって、第１基部１８ａと第２基部２１ａとが第１端子部１８ｄと第２外部端子部２１ｄとを介して一体化され、ひとつの第２のリードブロック２０が形成される。
【００５８】
そして、この第２のリードブロック２０は、可動側ハウジング２の第２収容体１３内に配設されている。この状態のとき、第２のリードブロック２０の第１端子群２１ｅと第２端子群２１ｆとは、第２収容体１３内に収納されている。
【００５９】
次に、本発明の回転コネクタに係わるリードブロックと可撓性ケーブルとの接続状態の第３の実施の形態について説明する。
ここで、前述の第１の実施の形態と同一構成には、同一符号を付与して詳細な説明は省略する。そして、ここでは、図８、及び図９に示すように、可撓性ケーブル３と、第２のリードブロック２４の第１基体部材１８とが、第１の実施の形態と同一構成であり、また、可撓性ケーブル３と第１基体部材１８との配設についても同一構成であることから説明は省略する。
【００６０】
このことから、次に、第２のリードブロック２４の第２基体部材２５について、説明する。
第２の基体部材２５は、図８、及び図９に示すように、合成樹脂材料から成り、成形加工によって形成された直方体の第２基部２５ａと、第２基部２５ａにインサート成形加工によって一体に形成されたＮ本以下（例えば、１０本）の第２の端子２５ｂとを有している。
【００６１】
また、Ｎ本以下（例えば、１０本）の第２の端子２５ｂは、第２基部２５ａの上壁面から外方に同一直線上に突出・配設され、フレキシブルなリード線からなるＮ本以下（例えば、１０本）の第１外部端子部２５ｃと、第２基部２５ａの下壁面から外方に同一直線上で、等間隔に突出・配設されたＮ本以下（例えば、１０本）の硬質な第２外部端子部２５ｄとを有している。そして、この第２外部端子部２５ｄの各間隔は、前記第１基体部材１８の前記第１端子部１８ｄの各間隔と等しい間隔に形成されている。
【００６２】
そして、この第２外部端子部２５ｄは、鍵の手状に屈曲されて形成され、先端は、同一直線上に配置されている。
また、第１基部１８ａのＮ本（例えば、１０本）の第１端子部１８ｄと、第２基部２５ａのＮ本以下（例えば、１０本）の第２外部端子部２５ｄとは、例えば、スポット溶着などの適宜手段にて固着・接続されている。
【００６３】
この第１端子部１８ｄと、第２外部端子部２５ｄとの固着・接続によって、第１基部１８ａと第２基部２５ａとが第１端子部１８ｄと第２外部端子部２５ｄとを介して一体化され、ひとつの第２のリードブロック２４が形成される。
【００６４】
そして、この第２のリードブロック２４は、前記可動側ハウジング２の第２収容体１３内に配設されている。
【００６５】
上述の如く、本発明の回転コネクタに係わる可撓性ケーブル３と、各第２のリードブロック１７、２０、２４の各第１基体部材１８とは、第１、第２、及び第３の実施形態において、同一構成、及び同一配置であり、共通化され、汎用性を有している。
【００６６】
そして、外部雌型コネクタと接続可能な各第２の基体部材１９、２１、２５の各第１外部端子部１９ｃ、２１ｃ、２５ｃは、各第１外部端子部１９ｃ、２１ｃ、２５ｃに接続されるそれぞれの外部雌型コネクタの形状・構成に対応して、適宜形状・構成を整合性のあるものに形成することができる。
【００６７】
即ち、各第２のリードブロック１７、２０、２４は、共通化された各第１基体部材１８と、個別仕様に対応できる各第２の基体部材１９、２１、２５とから構成されていることから、外部雌型コネクタの仕様に対応して接続可能なように各第２の基体部材１９、２１、２５のみの構成を変更することで外部雌型コネクタと接続可能にすることができる。
【００６８】
また、この状態のとき、本発明に回転コネクタに係わる各第２のリードブロック１７、２０、２４の大きさは、従来の回転コネクタに係わる第２のリードブロック６４の大きさとほぼ同等の大きさに形成されている。このことから、各第２のリードブロック１７、２０、２４の各第２の基体部材１９、２１、２５の大きさは、従来の回転コネクタに係わる第２のリードブロック６４の大きさに比較して、小型に形成されている。
【００６９】
そして、また、各第２の基体部材１９、２１、２５の構成は、直方体の第２基部と、第２基部にインサート成形加工によって一体に形成されたＮ本以下の第２の端子とを有しているのみであることから、単純な構成であり、安価に形成することができる。
【００７０】
なお、上述の本発明の第１、第２の実施の形態では、Ｎ本（例えば、１０本、又は６本）の第２の端子１９ｂ、２１ｂを第１、及び第２の端子群１９ｅ、１９ｆ、２１ｅ、２１ｆのそれぞれ端子形状の異なるふたつの端子群に分割したが、これに限定されず、三つ以上の端子群に分割しても良く、また、端子形状は、同一形状であってもよい。
【００７１】
また、上述の本発明の第１、第２、及び第３の実施の形態では、第２のリードブロックのみが第１基体部材と第２基体部材とから成るように形成したが、これに限定されず、第１のリードブロックのみや、第１、及び第２のリードブロックの双方が第１基体部材と第２基体部材とから成るように形成しても良い。
【００７２】
【発明の効果】
以上のように、本発明の回転コネクタでは、第１、及び第２のリードブロックの少なくとも一方は、第１基体部材と、第２基体部材とから成り、第１基体部材は、第１基部と、該第１基部に一体化されたＮ本の端子とを有し、Ｎ本の端子は、第１基部から外方に突出するＮ本の第１端子部と、第１基部から露出したＮ本の第２端子部とを有し、第２基体部材は、第２基部と、該第２基部に一体化されたＮ本以下の端子とを有し、Ｎ本以下の端子は、第２基部から外方に突出するＮ本以下の第１、第２外部端子部を有し、第１基体部材のＮ本の第２端子部には、可撓性ケーブルのＮ本の導体部のそれぞれの端部が接続されると共に、第１基体部材のＮ本の第１端子部の何れかに第２基体部材のＮ本以下の第２外部端子部のそれぞれが接続され、第１外部端子部が外部雌型コネクタ端子と接続可能であることによって、可撓性ケーブルとリードブロックの第１基体部材とを共通化することが出来、第２基体部材のみの変更によって、接続可能な外部雌型コネクタに対応できることから、汎用性を有し、安価なリードブロックを備えた回転コネクタを提供できる。
【００７３】
また、本発明の回転コネクタでは、第１基体部材の第１端子部が等間隔に配設されていることによって、第１端子部が等間隔に配設されていることで、第１基体部材が容易に形成出来、安価なリードブロックを備えた回転コネクタを提供できる。
【００７４】
また、本発明の回転コネクタでは、第２基体部材の第１外部端子部が、端子形状の異なる少なくともふたつの第１端子群、及び第２端子群から構成されていることによって、それぞれの第１、第２端子群への各外部雌型コネクタによる接続が確実に行えるリードブロックを備えた回転コネクタを提供できる。
【図面の簡単な説明】
【図１】本発明の回転コネクタを示す平面図である。
【図２】本発明の回転コネクタに係わり、固定側ハウジングと移動体とを示す平面図である。
【図３】図１における３−３線での要部断面図である。
【図４】本発明の回転コネクタに係わり、リードブロックと可撓性ケーブルとの接続状態の第１の実施の形態を示す斜視図である。
【図５】本発明の回転コネクタに係わり、リードブロックと可撓性ケーブルとの接続状態の第１の実施の形態を示す分解斜視図である。
【図６】本発明の回転コネクタに係わり、リードブロックと可撓性ケーブルとの接続状態の第２の実施の形態を示す斜視図である。
【図７】本発明の回転コネクタに係わり、リードブロックと可撓性ケーブルとの接続状態の第２の実施の形態を示す分解斜視図である。
【図８】本発明の回転コネクタに係わり、リードブロックと可撓性ケーブルとの接続状態の第３の実施の形態を示す斜視図である。
【図９】本発明の回転コネクタに係わり、リードブロックと可撓性ケーブルとの接続状態の第３の実施の形態を示す分解斜視図である。
【図１０】従来の回転コネクタを示す平面図である。
【図１１】図１０における１１−１１線での要部断面図である。
【図１２】従来の回転コネクタに係わり、リードブロックと可撓性ケーブルとの接続状態を示す斜視図である。
【図１３】従来の回転コネクタに係わり、リードブロックと可撓性ケーブルとの接続状態を示す分解斜視図である。
【符号の説明】
１    固定側ハウジング
２    可動側ハウジング
３    可撓性ケーブル
３ａ  絶縁フィルム
３ｂ  導体部
４    移動体
９    第１収容体
１０  収納部
１３  第２収容体
１６  第１のリードブロック
１６ａ  基部
１６ｂ  端子
１７    第２のリードブロック
１８    第１基体部材
１８ａ  第１基部
１８ｂ  孔部
１８ｃ  第１の端子
１８ｄ  第１端子部
１８ｅ  第２端子部
１９    第２基体部材
１９ａ  第２基部
１９ｂ  第２の端子
１９ｃ  第１外部端子部
１９ｄ  第２外部端子部
１９ｅ  第１の端子群
１９ｆ  第２の端子群
５０    回転コネクタ
【図１】
0003758533.tif 000002
【図２】
0003758533.tif 000003
【図３】
0003758533.tif 000004
【図４】
0003758533.tif 000005
【図５】
0003758533.tif 000006
【図６】
0003758533.tif 000007
【図７】
0003758533.tif 000008
【図８】
0003758533.tif 000009
【図９】
0003758533.tif 000010
【図１０】
0003758533.tif 000011
【図１１】
0003758533.tif 000012
【図１２】
0003758533.tif 000013
【図１３】
0003758533.tif 000014